(57)【要約】【課題】異なるアスペクトモード間であっても、記録用画像データの容量または画質を互いに近づけることができる撮像装置を提供する。【解決手段】デジタルカメラ１００の画像処理部１４１は、第１のアスペクトモードのとき、ＣＣＤ１１上の画素のうち水平画素数Ｈ１、垂直画素数Ｖ１の画素で生成された画像データ、またはその画像データに所定の処理が施された画像データを用いて、第１の記録用画像データを生成する。一方、第２のアスペクトモードのとき、画像処理部１４１は、ＣＣＤ１１上の画素のうち水平画素数Ｈ２、垂直画素数Ｖ２の画素で生成された画像データ、またはその画像データに所定の処理が施された画像データを用いて、第２の記録用画像データを生成する。【選択図】図１
2011205710.tif 000002
【特許請求の範囲】
【請求項１】
水平有効画素数ＰＨ、垂直有効画素数ＰＶからなる表示可能領域を有し、画像データ又はその画像データに所定の処理を施した画像データを表示する表示手段と、
第１のアスペクトの画像を表示するとき、前記画像データ又はその画像データに所定の処理を施した画像データが前記表示手段の表示可能領域のうち水平画素数ＰＨ１、垂直画素数ＰＶ１の領域に表示されるように前記画像データを処理し、第１の表示用画像データを生成する一方、前記第２のアスペクトの画像を表示するとき、前記画像データ又はその画像データに所定の処理を施した画像データが前記表示手段の表示可能領域のうち水平画素数ＰＨ２、垂直画素数ＰＶ２の領域に表示されるように前記画像データを処理し、第２の表示用画像データを生成する表示制御手段とを備え、
ＰＨ２＜ＰＨ１≦ＰＨ、
ＰＶ１＜ＰＶ２≦ＰＶ
の関係を満たす、表示装置。
【請求項２】
前記水平画素数ＰＨ１、前記垂直画素数ＰＶ１の画素の対角長Ｐφ１と、前記水平画素数ＰＨ２、前記垂直画素数ＰＶ２の画素の対角長Ｐφ２とは、
Ｐφ１≒Ｐφ２
の関係を満たす、請求項１に記載の表示装置。
【請求項３】
前記水平画素数ＰＨ１，ＰＨ２、前記垂直画素数ＰＶ１，ＰＶ２は、
ＰＨ１／ＰＶ１≒１６／９、
ＰＨ２／ＰＶ２≒４／３
の関係を満たす、請求項１または２に記載の表示装置。
【発明の詳細な説明】
【技術分野】
【０００１】
本願の開示は、異なるアスペクト比の中からいずれかを選択して、画像データに基づく画像を表示可能な表示装置に関する。
【背景技術】
【０００２】
アスペクト比の異なる画像データを記録可能な撮像装置は、例えば特許文献１に開示されている。特許文献１に開示の撮像装置は、撮影画像のアスペクト比を変換するアナモフィックレンズを備える光学系が装着可能な撮像装置であって、光学系を装着して撮影を行った場合に、撮像信号（画像信号）を得る際に係わる回路のパラメータを前記光学系のアスペクト比の変換特性に応じて補正する装置である。これにより、様々なアスペクト比の画像を撮影でき、どのようなアスペクト比の画像を撮像しても、常に一定レベルの制御能力及び画質を保つことができる撮像装置を提供する。
【０００３】
また、公知文献に記載された技術ではないが、図１５および図１６に示す技術を、出願人は関連技術として認知している。図１５は、関連技術１の撮像装置における固体撮像素子上の利用領域間の関係を示す模式図である。図１６は、関連技術２の撮像装置における固体撮像素子上の利用領域間の関係を示す模式図である。ここで、利用領域とは、記録用画像データを生成する際に用いられる、画像データを生成する固体撮像素子上の画素の領域を意味する。
【０００４】
図１５において、利用領域Ｅ１０１は１６：９モードのときの利用領域であり、その高さはＶ１０１で表される。利用領域Ｅ１０２は３：２モードのときの利用領域であり、その高さはＶ１０２で表される。利用領域Ｅ１０３は４：３モードのときの利用領域であり、その高さはＶ１０３で表される。Ｖ１０１〜Ｖ１０３の互いの関係は、
Ｖ１０１＜Ｖ１０２＜Ｖ１０３        ・・・  （数式１０１）
である。また、各利用領域の幅は、全てＨ１００であり、等しい。つまり、関連技術１では、互いにアスペクト比の異なる利用領域間において、全ての幅を等しくする一方、高さをそれぞれ異なるようにしている。
【０００５】
また、図１６において、利用領域Ｅ１１１は、１６：９モードのときの利用領域であり、その幅はＨ１１１で表される。利用領域Ｅ１１２は、３：２モードのときの利用領域であり、その幅はＨ１１２で表される。利用領域Ｅ１１３は、４：３モードのときの利用領域であり、その幅はＨ１１３で表される。Ｈ１１１〜Ｈ１１３の互いの関係は、
Ｈ１１３＜Ｈ１１２＜Ｈ１１１        ・・・  （数式１０２）
である。また、各利用領域の高さは、全てＶ１１０であり、等しい。つまり、関連技術２では、互いにアスペクト比の異なる利用領域間において、全ての高さを等しくする一方、幅をそれぞれ異なるようにしている。
【０００６】
以上のようにして、関連技術１および２によれば、各アスペクト比に対応する画像データを固体撮像素子から切り出して画像処理を施せばよいので、比較的簡単にアスペクト比の異なる記録用画像データを得ることができる。
【先行技術文献】
【特許文献】
【０００７】
【特許文献１】特開平６−８６１１４号公報
【発明の概要】
【発明が解決しようとする課題】
【０００８】
しかしながら、特許文献１に記載の撮像装置は、どのようなアスペクト比の画像を撮像しても、常に一定レベルの制御能力及び画質を保つことができるという効果を有するが、そのためにはアナモフィックレンズの装着を要する。したがって、特許文献１に記載の撮像装置は、操作が煩雑で、しかも部材を多く要するためコストの面でも不利である、という課題があった。
【０００９】
また、関連技術１および２の撮像装置は、アスペクト比が異なる画像間では、画像のアスペクト比が異なると、その画像を構成するデータの容量に差異が生じる。すなわち、関連技術１では、４：３のアスペクト比のときに固体撮像素子から出力される画像データの容量が最も大きく、１６：９のアスペクト比のときに固体撮像素子から出力される画像データの容量が最も小さい。このようにデータ容量に差異が生じるのは、利用領域（Ｅ１０１〜Ｅ１０３）内の画素数が、各アスペクト間で大きく異なるからである。この事情は、関連技術２でも同様である。そうすると、固体撮像素子から読み出した画像データは、アスペクト比ごとに画素数が異なるので、各アスペクト比の画像データに対して同じ画像処理をした場合、記録用画像データはアスペクト比に応じて容量が異なってしまう。一方、各アスペクト比の画像データに対して異なる画像処理をして画像データ容量を揃えた場合、記録用画像データはアスペクト比に応じて画質が異なってしまう。そのため、関連技術１および２の撮像装置は、画像のアスペクト比が異なると、その画像を構成するデータの容量に差異が生じるため、記録用画像の容量または画質が異なるという課題がある。
【００１０】
また、関連技術１および２の撮像装置は、各アスペクトの画像間で、対角画角が大きく異なる。そのため、対角画角の大きな画像に合わせてレンズの有効像円の大きさを設計する必要があるため、対角画角の小さな画像にとっては必要以上にレンズの有効像円が大きくなってしまう。このことから、対角画角の小さな画像では、レンズの有効像円を有効に利用できないという課題がある。特に、ＣＣＤイメージセンサやＭＯＳイメージセンサなどの矩形状の撮像領域を有する固体撮像素子を搭載した撮像装置において、このような課題が生じやすい。これに対して、円状の撮像領域を有する撮像管を搭載した撮像装置において、このような課題は生じにくい。
【課題を解決するための手段】
【００１１】
本願に開示する表示装置は、水平有効画素数ＰＨ、垂直有効画素数ＰＶからなる表示可能領域を有し、画像データ又はその画像データに所定の処理を施した画像データを表示する表示手段と、第１のアスペクトの画像を表示するとき、前記画像データ又はその画像データに所定の処理を施した画像データが前記表示手段の表示可能領域のうち水平画素数ＰＨ１、垂直画素数ＰＶ１の領域に表示されるように前記画像データを処理し、第１の表示用画像データを生成する一方、前記第２のアスペクトの画像を表示するとき、前記画像データ又はその画像データに所定の処理を施した画像データが前記表示手段の表示可能領域のうち水平画素数ＰＨ２、垂直画素数ＰＶ２の領域に表示されるように前記画像データを処理し、第２の表示用画像データを生成する表示制御手段とを備え、
ＰＨ２＜ＰＨ１≦ＰＨ、
ＰＶ１＜ＰＶ２≦ＰＶ
の関係を満たす。
【発明の効果】
【００１２】
本願に開示する表示装置によれば、互いにアスペクト比の異なる表示領域間において、一方の幅を他方の幅に比べて大きくするとともに、他方の高さを一方の高さに比べて大きくすることによって、各アスペクトモードにおける表示領域内の画素数を互いに近づけることができる。そのため、アスペクトモードが異なっても、表示画像の画質を互いに近づけることができる。
【図面の簡単な説明】
【００１３】
【図１】本発明の実施の形態１〜３における撮像装置の構成を示すブロック図
【図２Ａ】本発明の実施の形態１における各利用領域および有効画素領域を示す模式図（１６：９モード時）
【図２Ｂ】本発明の実施の形態１における各利用領域および有効画素領域を示す模式図（４：３モード時）
【図２Ｃ】本発明の実施の形態１における各利用領域および有効画素領域を示す模式図（３：２モード時）
【図２Ｄ】本発明の実施の形態１における各利用領域および有効画素領域を示す模式図
【図３】本発明の実施の形態１におけるデジタルカメラの動作を説明するためのフローチャート
【図４Ａ】本発明の実施の形態１における各表示領域及び液晶モニタの表示可能領域を示す模式図（１６：９モード時）
【図４Ｂ】本発明の実施の形態１における各表示領域及び液晶モニタの表示可能領域を示す模式図（４：３モード時）
【図４Ｃ】本発明の実施の形態１における各表示領域及び液晶モニタの表示可能領域を示す模式図（３：２モード時）
【図４Ｄ】本発明の実施の形態１における各表示領域及び液晶モニタの表示可能領域を示す模式図
【図５】本発明の実施の形態１におけるデジタルカメラの画像表示動作を説明するためのフローチャート
【図６】本発明の実施の形態２におけるデジタルカメラの動作を説明するためのフローチャート
【図７】本発明の実施の形態２における固体撮像素子の読出しラインを示す模式図
【図８】本発明の実施の形態３の実施例１における各利用領域および有効画素領域を示す模式図
【図９】本発明の実施の形態３の実施例２における各利用領域および有効画素領域を示す模式図
【図１０】本発明の実施の形態３の実施例３における各利用領域および有効画素領域を示す模式図
【図１１】本発明の実施の形態４の実施例１におけるデジタルカメラの動作を説明するためのフローチャート
【図１２】本発明の実施の形態４の実施例２におけるデジタルカメラの動作を説明するためのフローチャート
【図１３】本発明の実施の形態５における撮像装置の構成を示すブロック図
【図１４】本発明の実施の形態５におけるデジタルカメラの動作を説明するためのフローチャート
【図１５】関連技術１における各利用領域および有効画素領域を示す模式図
【図１６】関連技術２における各利用領域および有効画素領域を示す模式図
【発明を実施するための形態】
【００１４】
（実施の形態１）
〔1-1．構成〕
〔1-1-1．装置構成〕
本発明の実施の形態１にかかるデジタルカメラ１００は、異なるアスペクトモードを選択して、選択したモードに応じたアスペクト比を有する画像データを撮像できる。例えば、１６：９、３：２、４：３等のアスペクトモードを選択可能であり、１６：９のアスペクトモードを選択した場合、１６：９のアスペクト比の画像データを記録用画像データとしてメモリーカード１７に記憶する。
【００１５】
図１は、本発明の実施の形態１にかかるデジタルカメラ１００の構成を示すブロック図である。図１に示すように、デジタルカメラ１００は、ＣＣＤ（charge coupled device）イメージセンサ（以下、単にＣＣＤという）１１、アナログ・フロント・エンド部（以下、ＡＦＥという）１２、アナログ−デジタルコンバータ（以下、単にＡＤＣという）１３、ＬＳＩ（large-scale integration）１４、バッファメモリ１５、液晶モニタ１６、メモリカード１７、アスペクト切替操作部１８、シャッタ釦１９、タイミングジェネレータ（以下、ＴＧという）２０およびＣＣＤ駆動回路２１を含む構成である。
【００１６】
ＣＣＤ１１は、複数の画素が２次元配列された固体撮像素子である。ＣＣＤ１１は、各画素で生成された画像データを出力する。ＡＦＥ１２は、ＣＣＤ１１から出力された画像データに対して、ＣＤＳと言われるノイズキャンセル処理を行う、一種のアンプである。ＡＤＣ１３は、ＡＦＥ１２から出力される画像データをアナログ形式からデジタル形式の信号に変換する。
【００１７】
ＬＳＩ１４は、画像処理部１４１、ＣＰＵ（central processing unit）１４２、画像特徴検出部１４３、メモリ管理部１４４、表示制御部１４５およびカードＩ／Ｆ１４６を含む。
【００１８】
画像処理部１４１は、ＣＣＤ１１上の画素で生成された画像データ、またはその画像データにＡＦＥ１２及びＡＤＣ１３で所定の処理が施された画像データを用いて、記録用画像データを生成する。画像処理部１４１は、前処理部１４１１、ＹＣ処理部１４１２、ズーム処理部１４１３および圧縮処理部１４１４を含む。
【００１９】
前処理部１４１１は、ＡＤＣ１３から出力された画像データの黒バランス補正等を行う。前処理部１４１１で処理された画像データは、メモリ管理部１４４を介して一旦バッファメモリ１５に記憶される。
【００２０】
ＹＣ処理部１４１２は、バッファメモリ１５に記憶された画像データに対してＹＣ処理を施し、ＹＣ信号を含む画像データを生成する。
【００２１】
ズーム処理部１４１３は、ＹＣ処理が施された画像データの解像度を変換する。ズーム処理部１４１３は、いわゆる電子ズーム処理を行う。したがって、画像の拡大または縮小が可能である。また、画像データの解像度変換は、間引き処理によって行ってもよく、補間処理によって行ってもよく、あるいは間引き処理及び補間処理の両方によって行ってもよい。
【００２２】
圧縮処理部１４１４は、ＹＣ処理部１４１２でＹＣ処理された画像データ、またはズーム処理部１４１３で解像度変換された画像データを圧縮処理する。圧縮処理の形式は、例えば、ＪＰＥＧ圧縮形式である。
【００２３】
ＣＰＵ１４２（制御手段）は、マイコンなどで構成され、シャッタ釦１９及びアスペクト切替操作部１８等の操作手段が受けた指示に基づいて、デジタルカメラ１００全体を制御する。例えば、ＣＰＵ１４２は、シャッタ釦１９が半押し操作されたとき、画像特徴検出部１４３で検出された画像の特徴に基づいて、オートフォーカスの評価値を算出する。
【００２４】
メモリ管理部１４４は、バッファメモリ１５の書込み及び読出しの管理、および画像処理部１４１における各処理部１４１１〜１４１４の入出力の管理を行う。これにより、バッファメモリ１５を用いた画像処理部１４１での画像処理を円滑に行うことができ、迅速な処理が期待できる。
【００２５】
表示制御部１４５は、液晶モニタ１６での表示を制御する。
【００２６】
カードＩ／Ｆ１４６は、メモリカード１７とのインターフェイスである。カードＩ／Ｆ１４６は、データをメモリーカード１７へ書き込む制御、メモリーカード１７からデータを読出す制御を行う。
【００２７】
バッファメモリ１５（記憶手段）は、ＤＲＡＭ、またはフラッシュメモリ等の半導体メモリを含んで構成される。バッファメモリ１５は、画像処理部１４１で処理された画像データを一時的に記憶して、画像処理部１４１での処理を助ける。
【００２８】
液晶モニタ１６は、ＣＣＤ１１で生成された画像データ、またはその画像データに所定の処理が施された画像データを表示する。また、液晶モニタ１６は、メモリカード１７に記憶されている画像データを表示可能である。また、液晶モニタ１６は、ユーザーの操作のために用いる各種情報を表示可能である。
【００２９】
メモリーカード１７は、画像処理部１４１で生成された記録用画像データを記憶することができる。
【００３０】
アスペクト切替操作部１８（モード設定手段）は、１６：９のアスペクト比に設定可能なモード、３：２のアスペクト比に設定可能なモード、４：３のアスペクト比に設定可能なモードを切替えて、いずれか一つのモードに設定することができる。アスペクト切替操作部１８は、回転ダイアルやスライドスイッチ等の機械的な設定手段で構成されていてもよい。また、アスペクト切替操作部１８は、液晶モニタ１６に表示して設定する構成であってもよい。
【００３１】
ＴＧ２０は、タイミング信号を発生するタイミング発生器である。ＴＧ２０は、ＬＳＩ１４の制御に基づいて、タイミング信号を発生する。ＴＧ２０で発生したタイミング信号は、ＣＣＤ駆動回路２１に入力されて、ＣＣＤ１１の制御に用いられる。また、ＴＧ２０で発生したタイミング信号は、ＬＳＩ１４にも入力され、ＬＳＩ１４は、ＣＣＤ１１の駆動タイミングに合わせて画像処理部１４１等を制御する。
【００３２】
〔1-1-2．ＣＣＤの利用領域〕
画像処理部１４１が記録用画像データを生成する際に用いられる画像データを生成するＣＣＤイメージセンサ上の画素の領域（以下、利用領域という）はアスペクトモード毎に異なる。以下、この点について詳細に説明する。
【００３３】
図２は、ＣＣＤ１１上の画素の領域を示す模式図である。図２Ａは、１６：９モードのときの利用領域（以下、利用領域Ｅ１という）を示す。図２Ｂは、４：３モードのときの利用領域（以下、利用領域Ｅ２という）を示す。図２Ｃは、３：２モードのときの利用領域（以下、利用領域Ｅ３という）を示す。また、図２Ｄは、各モードの利用領域間の関係と、各モードの利用領域Ｅ１〜Ｅ３とＣＣＤ１１上の有効画素領域との関係を示す模式図である。
【００３４】
図２Ａに示すように、利用領域Ｅ１は、幅Ｈ１、高さＶ１、対角長φ１の寸法を有する画素から構成されている。そして、Ｈ１／Ｖ１は、ほぼ１６／９の値に等しい。また、図２Ｂに示すように、利用領域Ｅ２は、幅Ｈ２、高さＶ２、対角長φ２の寸法を有する画素から構成され、Ｈ２／Ｖ２はほぼ４／３の値に等しい。また、図２Ｃに示すように、利用領域Ｅ３は、幅Ｈ３、高さＶ３、対角長φ３の寸法を有する画素から構成され、Ｈ３／Ｖ３はほぼ３／２の値に等しい。
【００３５】
そして、図２Ｄに示すように、利用領域Ｅ１とＥ２の寸法は、
Ｈ２＜Ｈ１              ・・・  （数式１）
Ｖ１＜Ｖ２              ・・・  （数式２）
の関係を有する。
【００３６】
つまり、互いにアスペクト比の異なる利用領域間においては、一方の利用領域の幅を他方の利用領域の幅に比べて大きくするとともに、他方の利用領域の高さを一方の利用領域の高さに比べて大きくするのである。
【００３７】
この関係は、次のように、利用領域Ｅ２−Ｅ３間や利用領域Ｅ１−Ｅ３間でも成り立つ。
【００３８】
Ｈ２＜Ｈ３              ・・・  （数式３）
Ｖ３＜Ｖ２              ・・・  （数式４）
Ｈ３＜Ｈ１              ・・・  （数式５）
Ｖ１＜Ｖ３              ・・・  （数式６）
また、この関係は、３つ以上の利用領域間でも成り立つ。
【００３９】
Ｈ２＜Ｈ３＜Ｈ１        ・・・  （数式７）
Ｖ１＜Ｖ３＜Ｖ２        ・・・  （数式８）
このように、互いにアスペクト比の異なる利用領域間において、一方の利用領域の幅を他方の利用領域の幅に比べて大きくするとともに、他方の利用領域の高さを一方の利用領域の高さに比べて大きくすることによって、各アスペクトモードにおける利用領域内の画素数を互いに近づけることができる。そのため、アスペクトモードが異なっても、記録用画像の容量または画質を互いに近づけることができる。
【００４０】
上記Ｈ１〜Ｈ３およびＶ１〜Ｖ３は、アスペクト比Ｈ１／Ｖ１、Ｈ２／Ｖ２、Ｈ３／Ｖ３が、それぞれ１６／９、４／３および３／２の一定値を保ちつつ、各モード間で利用領域Ｅ１〜Ｅ３内の画素数を等しくするようにして求めればよい。但し、利用領域内の画素数は正確に等しくする必要はなく、ほぼ等しい値であればよい。例えば、各モードの利用領域内の画素数の差異と各モードの利用領域内の画素数との割合が１０％以内であれば、ほぼ等しいと言える。
【００４１】
また、各モード間で利用領域Ｅ１〜Ｅ３内の画素数を直接的に等しくするのではなく、各利用領域の対角長φ１〜φ３をそれぞれ等しくするようにしてもよい。これにより、簡易に各アスペクトモードにおける利用領域内の画素数をほぼ均一に揃えることができる。また、各アスペクト画像間の対角画角をほぼ一定にするため、アスペクトモードが切替えられても、レンズの有効像円を有効に利用できる。
【００４２】
なお、対角長φ１〜φ３においても、正確に等しくする必要はなく、ほぼ等しい値であればよい。例えば、各モードの利用領域の対角長の差異と各モードの利用領域の対角長との割合が１０％以内であれば、ほぼ等しいと言える。
【００４３】
なお、ＣＣＤイメージセンサ１１は、本発明の固体撮像素子の一例である。アスペクト切替操作部１８は、本発明のモード設定手段（モード設定ユニット）の一例である。画像処理部１４は、本発明の画像処理手段（画像処理ユニット）の一例である。シャッタ釦１９は、本発明の受付手段（レリーズユニット）の一例である。液晶モニタ１６は、本発明の表示手段（表示デバイス）の一例である。表示制御部１４５は、本発明の表示制御手段（表示デバイスドライバー）の一例である。
【００４４】
〔1-2．動作〕
次に、実施の形態１にかかるデジタルカメラ１００の動作について、以下図３を参照して説明する。
【００４５】
ユーザーは、アスペクト切替操作部１８を操作して、撮像動作の開始前に予めアスペクトモードを設定しておく。そして、ユーザーがシャッタ釦１９を半押し操作をした後、全押し操作をすると（Ｓ１１）、デジタルカメラ１００での撮像動作が開始され、ＣＣＤ１１での露光動作が開始される。
【００４６】
ＣＰＵ１４２は、撮像動作が開始されると、アスペクトモードが、１６：９、４：３、３：２のいずれに設定されているのかを確認する（Ｓ１２）。次に、ＣＰＵ１４２は、ＣＣＤ１１での露光動作を終了させる。その後、ＣＰＵ１４２は、ＴＧ２０に対してタイミング信号を発生するよう命令する。ＴＧ２０から発生されるタイミング信号は、設定されたアスペクトに応じた画素領域の画像データをＣＣＤ１１から出力させることができる信号である（Ｓ１３）。すなわち、ＣＰＵ１４２は、ＴＧ２０のタイミング信号を調整することにより、ＣＣＤ１１の利用領域を切替えて読み出すことができる。例えば、アスペクトモードが１６：９のときには、ＴＧ２０は、ＣＰＵ１４２からの命令により、図２Ａに示す画素をＣＣＤ１１から読み出すことができるタイミング信号を発生する。
【００４７】
ＣＣＤ駆動回路２１は、ＴＧ２０からのタイミング信号を受けて、ＣＣＤ１１を駆動させる（Ｓ１４）。これにより、ＣＣＤ１１は、アスペクトモードに応じた利用領域の画素で生成された画像データを出力する。
【００４８】
ＣＣＤ１１から読み出された画像データは、ＡＦＥ１２でＣＤＳ処理される。ＣＤＳ処理された画像データは、ＡＤＣ１３でデジタル化される。デジタル化された画像データは、前処理部１４１１で前処理される（Ｓ１５）。前処理された画像データは、バッファメモリ１５に一時的に記憶され、その後、必要に応じてＹＣ処理、ズーム処理、圧縮処理等が施されて、記録用画像データが生成される（Ｓ１６）。
【００４９】
生成された記録用画像データは、メモリーカード１７に書き込まれる（Ｓ１７）。そして、表示制御部１４５は、記録用画像データに対応する画像を、液晶モニタ１６に表示させる（Ｓ１８）。
【００５０】
以下、図４、図５を参照して、液晶モニタ１６への画像表示の動作を説明する。図４は、液晶モニタ１６上の表示領域を示す模式図である。図４において、図４Ａは、１６：９モードのときの表示領域（以下、表示領域Ｐ１という）を示す。図４Ｂは、４：３モードのときの表示領域（以下、表示領域Ｐ２という）を示す。図４Ｃは、３：２モードのときの表示領域（以下、表示領域Ｐ３という）を示す。また、図４Ｄは、各モードの表示領域間の関係と、各モードの表示領域Ｐ１〜Ｐ３と液晶モニタ１６上の表示画素領域との関係を示す模式図である。
【００５１】
図４Ａに示すように、表示領域Ｐ１は、幅ＰＨ１、高さＰＶ１、対角長Ｐφ１の寸法を有する画素から構成されている。そして、ＰＨ１／ＰＶ１は、ほぼ１６／９の値に等しい。また、図４Ｂに示すように、表示領域Ｐ２は、幅ＰＨ２、高さＰＶ２、対角長Ｐφ２の寸法を有する画素から構成され、ＰＨ２／ＰＶ２はほぼ４／３の値に等しい。また、図４Ｃに示すように、表示領域Ｐ３は、幅ＰＨ３、高さＰＶ３、対角長Ｐφ３の寸法を有する画素から構成され、ＰＨ３／ＰＶ３はほぼ３／２の値に等しい。
【００５２】
そして、図４Ｄに示すように、表示領域Ｐ１とＰ２の寸法は、
ＰＨ２＜ＰＨ１              ・・・  （数式９）
ＰＶ１＜ＰＶ２              ・・・  （数式１０）
の関係を有する。
【００５３】
つまり、互いにアスペクト比の異なる表示領域間においては、一方の表示領域の幅を他方の表示領域の幅に比べて大きくするとともに、他方の表示領域の高さを一方の表示領域の高さに比べて大きくするのである。
【００５４】
この関係は、次のように、表示領域Ｐ２−Ｐ３間や表示領域Ｐ１−Ｐ３間でも成り立つ。
【００５５】
ＰＨ２＜ＰＨ３              ・・・  （数式１１）
ＰＶ３＜ＰＶ２              ・・・  （数式１２）
ＰＨ３＜ＰＨ１              ・・・  （数式１３）
ＰＶ１＜ＰＶ３              ・・・  （数式１４）
また、この関係は、３つ以上の表示領域間でも成り立つ。
【００５６】
ＰＨ２＜ＰＨ３＜ＰＨ１        ・・・  （数式１５）
ＰＶ１＜ＰＶ３＜ＰＶ２        ・・・  （数式１６）
このように、互いにアスペクト比の異なる表示領域間において、一方の表示領域の幅を他方の表示領域の幅に比べて大きくするとともに、他方の表示領域の高さを一方の表示領域の高さに比べて大きくすることによって、各アスペクトモードにおける表示領域内の画素数を互いに近づけることができる。そのため、アスペクトモードが異なっても、表示画像の画質を互いに近づけることができる。また、図２Ｄに示す固体撮像素子の利用領域Ｅ１〜Ｅ３の関係と、図４Ｄに示す表示領域Ｐ１〜Ｐ３の関係とを同じように設定しているため、撮像画像と表示画像との対応が良くなる。そのため、撮像画像を再生した際に、撮影時に表示された表示画像との相違による違和感をなくすことができる。
【００５７】
上記ＰＨ１〜ＰＨ３およびＰＶ１〜ＰＶ３は、アスペクト比ＰＨ１／ＰＶ１、ＰＨ２／ＰＶ２、ＰＨ３／ＰＶ３が、それぞれ１６／９、４／３および３／２の一定値を保ちつつ、各モード間で表示領域Ｐ１〜Ｐ３内の画素数を等しくするようにして求めればよい。但し、表示領域内の画素数は正確に等しくする必要はなく、ほぼ等しい値であればよい。例えば、各モードの表示領域内の画素数の差異と各モードの表示領域内の画素数との割合が１０％以内であれば、ほぼ等しいと言える。
【００５８】
また、各モード間で表示領域Ｐ１〜Ｐ３内の画素数を直接的に等しくするのではなく、各表示領域の対角長Ｐφ１〜Ｐφ３をそれぞれ等しくするようにしてもよい。これにより、簡易に各アスペクトモードにおける表示領域内の画素数をほぼ均一に揃えることができる。
【００５９】
なお、対角長Ｐφ１〜Ｐφ３においても、正確に等しくする必要はなく、ほぼ等しい値であればよい。例えば、各モードの表示領域の対角長の差異と各モードの表示領域の対角長との割合が１０％以内であれば、ほぼ等しいと言える。
【００６０】
図５は、液晶モニタ１６への画像表示の動作を説明するためのフローチャートである。記録用画像データの記録中又は記録後に、記録用画像データに対応する表示画像を液晶モニタ１６に表示する。
【００６１】
まず、表示制御部１４５は、アスペクト切替操作部１８によって設定されているアスペクトモードをＣＰＵ１４２から取得する（Ｓ１８１）。次に、表示制御部１４５は、取得したアスペクトモードに応じた表示領域を決定する（Ｓ１８２）。例えば、表示制御部１４５は、アスペクトモードが１６：９であれば、図４Ａに示す表示領域Ｐ１を表示領域として決定する。次に、表示制御部１４５は、ＹＣ処理部１４１２で処理された画像データを取得して、それを表示用画像データに変換する（Ｓ１８３）。この際、表示制御部１４５は、ステップＳ１８２で決定した表示領域内に、画像データに基づく画像の全体を表示させる表示用画像データを作成する。つまり、表示制御部１４５は、ステップＳ１８２で決定した表示領域内に画像データを対応させ、その他の領域には無信号を対応させる。表示制御部１４５は、このようにして作成した表示用画像データを液晶モニタ１６に出力し、表示させる（Ｓ１８４）。
【００６２】
〔1-3．本発明の実施の形態１のまとめ〕
以上のように本発明の実施の形態１にかかるデジタルカメラ１００は、ＣＣＤイメージセンサ１１とアスペクト切替操作部１８と画像処理部１４１とを備える。ＣＣＤイメージセンサ１１は、水平有効画素数Ｈ、垂直有効画素数Ｖから構成される複数の画素が２次元配列された固体撮像素子である。
【００６３】
アスペクト切替操作部１８は、第１のアスペクトモードおよび第２のアスペクトモードを含む複数のアスペクトモードのうちいずれかを設定するモード設定手段である。ここで、１６：９のアスペクトモードを第１のアスペクトモードと解すると、本実施の形態１においては、第２のアスペクトモードは４：３のアスペクトモードまたは３：２のアスペクトモードとなる。１６：９のアスペクトモードと４：３のアスペクトモードの間には、利用領域について数式１および数式２に示す関係が成り立ち、１６：９のアスペクトモードと３：２のアスペクトモードの間には、利用領域について数式５および数式６に示す関係が成り立つからである。
【００６４】
画像処理部１４１は、第１のアスペクトモードのとき、ＣＣＤ１１上の画素のうち水平画素数Ｈ１、垂直画素数Ｖ１の画素で生成された画像データまたはその画像データに所定の処理が施された画像データを用いて、第１の記録用画像データを生成する。一方、画像処理部１４１は、第２のアスペクトモードのとき、ＣＣＤ１１上の画素のうち水平画素数Ｈ２、垂直画素数Ｖ２の画素で生成された画像データまたはその画像データに所定の処理が施された画像データを用いて、第２の記録用画像データを生成する。
【００６５】
これにより、第１のアスペクトモードおよび第２のアスペクトモードにおけるそれぞれの利用領域内の画素数を、互いに近づけることができる。そのため、アスペクトモードが異なっても、記録用画像の容量または画質を互いに近づけることができる。これにより、ユーザーは、様々なアスペクト比の画像を撮像する際に、記録用画像の容量または画質を予想しやすくなるので、便利である。
【００６６】
また、本実施の形態１に示すように、各利用領域の対角長をほぼ等しくするようにしてもよい。これにより、各利用領域を容易に決定できる。また、各アスペクト画像間の対角画角をほぼ一定にするため、アスペクトモードが切替えられても、レンズの有効像円を有効に利用できる。
【００６７】
また、本実施の形態１に示すように、ＣＣＤ１１は、第１のアスペクトモードのとき、水平画素数Ｈ１、垂直画素数Ｖ１の画素で生成された画像データを出力する一方、第２のアスペクトモードのとき、水平画素数Ｈ２、垂直画素数Ｖ２の画素で生成された画像データを出力するようにしてもよい。これにより、ＣＣＤ１１から画像データを読み出した時点で、アスペクトモードに対応したアスペクト比の画像データを得ることができるので、その後の画像処理に無駄を生じない。仮に、ＣＣＤ１１から画像データを読み出した時点で、アスペクトモードに対応しないアスペクト比の画像データを得ることにすれば、ＣＣＤ１１から、記録用画像データに用いることのない画素で生成される画像データを含んだ画像データを読み出す必要があり、読出し後の画像処理に無駄が生じることとなる。
【００６８】
また、本実施の形態１に示すように、液晶モニタ１６と表示制御部１４５とを設けてもよい。液晶モニタ１６は、水平有効画素数ＰＨ、垂直有効画素数ＰＶから構成される表示可能領域を有し、ＣＣＤ１１で生成された画像データ又はその画像データに所定の処理を施した画像データを表示する。
【００６９】
表示制御部１４５は、第１のアスペクトモードのとき、ＣＣＤ１１で生成された画像データ又はその画像データに所定の処理を施した画像データが、液晶モニタ１６の表示可能領域のうち水平画素数ＰＨ１、垂直画素数ＰＶ１の領域に表示されるように画像データを処理し、第１の表示用画像データを生成する。一方、第２のアスペクトモードのとき、ＣＣＤ１１で生成された画像データ又はその画像データに所定の処理を施した画像データが、液晶モニタ１６の表示可能領域のうち水平画素数ＰＨ２、垂直画素数ＰＶ２の領域に表示されるように画像データを処理し、第２の表示用画像データを生成する。そして、
ＰＨ２＜ＰＨ１≦ＰＨ、
ＰＶ１＜ＰＶ２≦ＰＶ
の関係を満たす。
【００７０】
これにより、互いにアスペクト比の異なる表示領域間において、一方の幅を他方の幅に比べて大きくするとともに、他方の高さを一方の高さに比べて大きくすることによって、各アスペクトモードにおける表示領域内の画素数を互いに近づけることができる。そのため、アスペクトモードが異なっても、表示画像の画質を互いに近づけることができる。
【００７１】
また、固体撮像素子の利用領域Ｅ１〜Ｅ３の関係と表示領域Ｐ１〜Ｐ３の関係とを同じように設定しているため、撮像画像と表示画像との対応が良くなる。そのため、撮像画像を再生した際に、撮影時に表示された表示画像との相違による違和感をなくすことができる。
【００７２】
また、本実施の形態１に示すように、表示制御部１４５は、ＣＰＵ１４２から現在設定されているアスペクトモードを取得するようにしてもよい。これにより、いちいち画像データを解析してそのアスペクト比を求める必要がないので、表示用画像データを迅速に生成できる。ただし、表示制御部１４５が画像データを解析してそのアスペクト比を求める場合でも、本発明は適用できる。このようにすることにより、確実に画像データに対応するアスペクト比を把握することができる。
【００７３】
また、本実施の形態１のように、アスペクトモードは、３つ以上のモードが含まれていてもよく、２つのモードが含まれていてもよい。
【００７４】
また、アスペクトモードは、上記以外のアスペクト比のモードが含まれていてもよい。例えば、正方形状の画像となる１：１のアスペクトモード、縦長画像となる３：４のアスペクトモード、または１６：９よりもさらに横長の画像となる２５：９のアスペクトモードなどを設定できる。
【００７５】
また、本実施の形態では、固体撮像素子は、ＣＣＤイメージセンサで構成されているが、これには限らず、ＣＣＤイメージセンサに替えてＣＭＯＳイメージセンサまたはＮＭＯＳイメージセンサなどのＭＯＳイメージセンサで構成してもよい。特に、本実施の形態１では、固体撮像素子から全ての画像データを取得するのではなく、アスペクトモードに対応する画像データのみを取得するようにしているので、ＭＯＳイメージセンサは本実施の形態に好適である。なぜなら、ＭＯＳイメージセンサは、画素データの読出しメカニズムの違いから、ＣＣＤイメージセンサに比べて、読出し時の画素選択を容易に行うことができ、必要な領域の画像データのみを容易に読み出すことができるからである。
【００７６】
（実施の形態２）
〔2-1．実施の形態２の概要〕
本発明の実施の形態１は、設定されたアスペクトモードに応じて必要な領域の画像データのみを読み出す構成である。これに対して、本発明の実施の形態２は、画像の垂直方向は、設定されたアスペクトモードに応じて必要なラインの画像データのみを読み出す一方、画像の水平方向は、全画像データを読み出す構成である。これにより、ＣＣＤ１１の読出し制御の際に、水平方向については複雑な制御を要することがないので、読出し制御を容易にすることができる。
【００７７】
〔2-2．動作〕
本発明の実施の形態２にかかるデジタルカメラ１００の動作を、図６及び図７を参照して説明する。なお、本発明の実施の形態２にかかるデジタルカメラ１００の構成は、本発明の実施の形態１にかかるデジタルカメラ１００の構成と同様であるため、説明を省略する。
【００７８】
図６は、本発明の実施の形態２にかかるデジタルカメラ１００の動作を説明するためのフローチャートである。ステップＳ２１及びステップＳ２２の動作は、図３に示すステップＳ１１及びステップＳ１２の動作と同様であるため、説明を省略する。
【００７９】
ＣＰＵ１４２は、ＣＣＤ１１での露光動作が終了すると、ＴＧ２０にタイミング信号を発生させる。ＴＧ２０から発生されるタイミング信号は、設定されたアスペクトに応じたラインの画像データを、ＣＣＤ１１から出力させるための信号である（Ｓ２３）。すなわち、ＣＰＵ１４２は、ＴＧ２０のタイミング信号を調整することにより、ＣＣＤ１１の読み出しラインを切替えて読み出すことができる。例えば、アスペクトモードが１６：９のときには、図７に示す中央のライン数Ｖ１のラインを読み出すように、ＴＧ２０はタイミング信号を発生する。
【００８０】
ＣＣＤ駆動回路２１は、ＴＧ２０からのタイミング信号を受けて、ＣＣＤ１１を駆動する（Ｓ２４）。これにより、ＣＣＤ１１で生成される画像データのうち、上端の領域Ｌ１のラインの画像データは、高速転送され、ＣＣＤ１１の外部に読み出されない。中央のライン数Ｖ１のラインの画像データは、通常の転送速度で、ＣＣＤ１１の外部に読み出される。また、下端の領域Ｌ２のラインの画像データは、高速転送され、ＣＣＤ１１の外部に読み出されない。
【００８１】
ＣＣＤ１１から読み出された画像データは、ＡＦＥ１２でＣＤＳ処理され、ＡＤＣ１３でデジタル化される。デジタル化された画像データは、前処理部１４１１で前処理される（Ｓ２５）。前処理された画像データは、バッファメモリ１５に一時的に記憶される（Ｓ２６）。この際、ＣＣＤ１１から読み出された画像データのうちバッファメモリ１５に記憶されるのは、中央の画素数Ｈ１の画像データのみである。したがって、利用領域Ｅ１に対応する画像データのみがバッファメモリ１５に記憶されることになる。
【００８２】
その後、必要に応じてＹＣ処理、ズーム処理、圧縮処理等が施されて、記録用画像データが生成される（Ｓ２７）。生成された記録用画像データは、メモリーカード１７に書き込まれる（Ｓ２８）。そして、記録用画像データに対応する画像が液晶モニタ１６に表示される（Ｓ２９）。
【００８３】
（実施の形態３）
〔3-1．ＣＣＤの利用領域と有効画素領域との関係〕
本発明の実施の形態１では、図２Ｄに示すように、有効画素領域よりも利用領域Ｅ１〜Ｅ３はいずれも小さいとした。すなわち、
Ｈ＞Ｈ１            ・・・  （数式１７）
Ｖ＞Ｖ２            ・・・  （数式１８）
という関係が成り立つとした。
【００８４】
しかしながら、有効画素領域の幅または／および高さが、利用領域Ｅ１〜Ｅ３のいずれかの幅または／および高さと等しい場合であっても、本発明は適用可能である。このような場合の実施例について、実施の形態３として以下説明する。
【００８５】
〔3-1-1．実施の形態３における実施例１〕
図８は、各モードの利用領域Ｅ１〜Ｅ３間の関係と、各モードの利用領域Ｅ１〜Ｅ３とＣＣＤ１１上の有効画素領域との関係とを示す模式図である。図８において、有効画素領域の幅Ｈは、利用領域Ｅ１の幅Ｈ１と等しいように設定されている。その他の配置は、図２に示す配置と同様である。したがって、
Ｈ２＜Ｈ３＜Ｈ１＝Ｈ    ・・・  （数式１９）
という関係が成り立つ。
【００８６】
このように、有効画素領域の幅Ｈを、利用領域Ｅ１〜Ｅ３のうち最も幅の大きい利用領域Ｅ１の幅Ｈ１と等しくすることにより、有効画素領域の幅方向の画素を最大限有効に活用することができる。
【００８７】
〔3-1-2．実施の形態３における実施例２〕
図９は、各モードの利用領域Ｅ１〜Ｅ３間の関係と、各モードの利用領域Ｅ１〜Ｅ３とＣＣＤ１１上の有効画素領域との関係とを示す模式図である。図９において、有効画素領域の高さＶは、利用領域Ｅ２の高さＶ２と等しいように設定されている。その他の配置は、図２に示す配置と同様である。したがって、
Ｖ１＜Ｖ３＜Ｖ２＝Ｖ    ・・・  （数式２０）
という関係が成り立つ。
【００８８】
このように、有効画素領域の高さＶを、利用領域Ｅ１〜Ｅ３のうち最も高さの大きい利用領域Ｅ２の高さＶ２に対して等しくすることにより、有効画素領域の高さ方向の画素を最大限有効に活用することができる。
【００８９】
〔3-1-3．実施の形態３における実施例３〕
図１０は、各モードの利用領域Ｅ１〜Ｅ３間の関係と、各モードの利用領域Ｅ１〜Ｅ３とＣＣＤ１１上の有効画素領域との関係とを示す模式図である。図１０において、有効画素領域の幅Ｈは、利用領域Ｅ１の幅Ｈ１と等しいように設定されている。また、有効画素領域の高さＶは、利用領域Ｅ２の高さＶ２と等しいように設定されている。その他の配置は、図２に示す配置と同様である。したがって、上記数式１９および数式２０の両方を満たす。
【００９０】
このように、有効画素領域の幅Ｈを、利用領域Ｅ１〜Ｅ３のうち最も幅の大きい利用領域Ｅ１の幅Ｈ１と等しくするとともに、有効画素領域の高さＶを、利用領域Ｅ１〜Ｅ３のうち最も高さの大きい利用領域Ｅ２の高さＶ２と等しくすることにより、有効画素領域の画素を最大限有効に活用することができる。
【００９１】
〔3-2．実施の形態３のまとめ〕
以上のように、本実施の形態３によれば、有効画素領域の幅または／および高さが、利用領域Ｅ１〜Ｅ３のいずれかの幅または／および高さに対して、等しくしてもよい。これにより、有効画素領域の画素を最大限有効に活用することができる。
【００９２】
（実施の形態４）
〔4-1．ＣＣＤ１１からの画像データの読出し領域〕
本発明の実施の形態１では、アスペクトモードに応じた利用領域の画素で生成された画像データをＣＣＤ１１から読み出すとした。しかしながら、アスペクトモードに関わらず、全有効画素領域で生成された画像データを一旦読み出して、その後アスペクトモードに応じて記録用画像データを生成するようにしても、本発明は適用できる。このような場合の実施例について、本発明の実施の形態４として以下説明する。
【００９３】
なお、本発明の実施の形態４におけるデジタルカメラの構成は、本発明の実施の形態１におけるデジタルカメラ１００の構成と同様であるため、以下ではその構成に関する説明を省略する。
【００９４】
〔4-1-1．実施の形態４における実施例１〕
図１１は、本実施例１にかかるデジタルカメラの動作を説明するためのフローチャートである。図１１を参照して、本実施例１のデジタルカメラの動作を説明する。
【００９５】
ユーザーは、アスペクト切替操作部１８を操作して、撮像動作の開始前に予めアスペクトモードを設定しておく。そして、ユーザーがシャッタ釦１９を半押し操作した後、全押し操作をすると（Ｓ３１）、デジタルカメラ１００において撮像動作が開始される。
【００９６】
ＣＰＵ１４２は、撮像動作が開始すると、アスペクトモードが、１６：９、４：３、３：２のいずれに設定されているのかを確認する（Ｓ３２）。次に、ＣＰＵ１４２は、ＣＣＤ１１での露光動作を終了させる。
【００９７】
次に、ＣＣＤ駆動回路２１は、ＴＧ２０からのタイミング信号を受けて、ＣＣＤ１１を駆動する。ＣＣＤ１１は、ＣＣＤ駆動回路２１からの制御によって、全有効画素領域の画素で生成された画像データを出力する（Ｓ３３）。
【００９８】
ＣＣＤ１１から読み出された画像データは、ＡＦＥ１２でＣＤＳ処理され、ＡＤＣ１３でデジタル化される。デジタル化された画像データは、前処理部１４１１で前処理される（Ｓ３４）。
【００９９】
次に、メモリ管理部１４４は、ＣＰＵ１４２の制御により、アスペクトモードに応じた利用領域（利用領域Ｅ１〜Ｅ３のいずれか）の画素で生成された画像データを、前処理部１４１１で処理された全有効画素領域の画像データから切り出して、バッファメモリ１５に記憶させる。したがって、バッファメモリ１５は、アスペクトモードに応じた利用領域の画素で生成され、ＡＦＥ１２、ＡＤＣ１３および前処理部１４１１で所定の処理が施された画像データを、一時的に記憶することになる。例えば、アスペクトモードが１６：９の場合、メモリ管理部１４４は、ＣＰＵ１４２の制御により、利用領域Ｅ１の画素で生成された画像データを、前処理部１４１１で処理された全有効画素領域の画像データから切り出して、バッファメモリ１５に記憶させる（Ｓ３５）。
【０１００】
その後、必要に応じてＹＣ処理、ズーム処理、圧縮処理等が施されて、記録用画像データが生成される（Ｓ３６）。
【０１０１】
生成された記録用画像データは、メモリーカード１７に書き込まれる（Ｓ３７）。そして、記録用画像データに対応する画像が液晶モニタ１６に表示される（Ｓ３８）。
【０１０２】
以上のように本実施例１では、ＣＣＤ１１から全有効画素領域の画像データを読み出すので、ＴＧ２０を複雑に制御する必要がないため、ＣＣＤ１１からの画像データの読出しを容易に行うことができる。
【０１０３】
また、本実施例１では、アスペクトモードに応じた利用領域で生成された画像データ、またはその画像データに所定の処理が施された画像データを、バッファメモリ１５に記憶する構成としたので、全有効画素領域で生成される画像データを全て記憶する場合に比べて、画像データを記憶するのに要する記憶容量を小さくできる。
【０１０４】
〔4-1-2．実施の形態４における実施例２〕
図１２は、本実施例２にかかるデジタルカメラの動作を説明するためのフローチャートである。図１２を参照して、以下本実施例２のデジタルカメラの動作を説明する。
【０１０５】
ユーザーは、アスペクト切替操作部１８を操作して、撮像動作の開始前に予めアスペクトモードを設定しておく。そして、ユーザーがシャッタ釦１９を半押し操作した後、全押し操作をすると（Ｓ４１）、デジタルカメラ１００において撮像動作が開始される。
【０１０６】
ＣＰＵ１４２は、撮像動作が開始すると、アスペクトモードが、１６：９、４：３、３：２のいずれに設定されているのかを確認する（Ｓ４２）。次に、ＣＰＵ１４２は、ＣＣＤ１１での露光動作を終了させる。
【０１０７】
次に、ＣＣＤ駆動回路２１は、ＴＧ２０からのタイミング信号を受けて、ＣＣＤ１１を駆動する。ＣＣＤ１１は、ＣＣＤ駆動回路２１からの制御により、全有効画素領域の画素で生成された画像データを出力する（Ｓ４３）。
【０１０８】
ＣＣＤ１１から読み出された画像データは、ＡＦＥ１２でＣＤＳ処理され、ＡＤＣ１３でデジタル化される。デジタル化された画像データは、前処理部１４１１で前処理される（Ｓ４４）。
【０１０９】
次に、メモリ管理部１４４は、前処理部１４１１で処理された画像データをバッファメモリ１５に記憶させる（Ｓ４５）。したがって、バッファメモリ１５は、有効画素領域の画素で生成され、ＡＦＥ１２、ＡＤＣ１３および前処理部１４１１で所定の処理が施された全画像データを一時的に記憶することになる。
【０１１０】
次に、メモリ管理部１４４は、ＣＰＵ１４２の制御により、アスペクトモードに応じた利用領域（利用領域Ｅ１〜Ｅ３のいずれか）の画素で生成された画像データを、バッファメモリ１５に記憶された有効画素領域の全画像データから切り出して、画像処理部１４１に出力する（Ｓ４６）。例えば、アスペクトモードが１６：９の場合、メモリ管理部１４４は、ＣＰＵ１４２の制御により、利用領域Ｅ１の画素で生成され所定の処理が施された画像データを切り出して、画像処理部１４１に出力する。
【０１１１】
その後、必要に応じてＹＣ処理、ズーム処理、圧縮処理等が施されて、記録用画像データが生成される（Ｓ４７）。
【０１１２】
生成された記録用画像データは、メモリーカード１７に書き込まれる（Ｓ４８）。そして、記録用画像データに対応する画像が液晶モニタ１６に表示される（Ｓ４９）。
【０１１３】
なお、上記のアスペクトモードに応じた必要な画像データの切り出し処理は、画像処理工程のどの段階で行ってもよい。例えば、ＹＣ処理の前に行ってもよいし、ＹＣ処理は全有効画素分について行い、ズーム処理時に切り出してもよい。
【０１１４】
また、ＹＣ処理およびズーム処理は、全有効画素分について行い、圧縮処理の前に切り出し処理を行ってもよい。
【０１１５】
また、画像処理の全てを全有効画素分について行った上で、メモリーカード１７への書き込み時に切り出し処理を行ってもよい。
【０１１６】
以上のように本実施例２では、全有効画素領域の画像データを一旦バッファメモリ１５に全て記憶させるので、その後の画像データの加工を自由に行うことができる。例えば、バッファメモリ１５に記憶した後、アスペクトモードを変更することが可能である。なぜなら、必要な画像データは、全てバッファメモリ１５に記憶されているからである。
【０１１７】
〔4-2．実施の形態４のまとめ〕
本発明の実施の形態４にかかるデジタルカメラは、ＣＣＤ１１とアスペクト切替操作部１８と画像処理部１４１とに加えて、バッファメモリ１５をさらに備える。
【０１１８】
バッファメモリ１５は、ＣＣＤ１１上の水平有効画素数Ｈ、垂直有効画素数Ｖから構成される複数の画素で生成された画像データ、またはその画像データに所定の処理が施された画像データを一時的に記憶する。そして、画像処理部１４は、第１のアスペクトモードのとき、バッファメモリ１５に記憶された画像データのうち水平画素数Ｈ１、垂直画素数Ｖ１の画素に対応する画像データを読み出して第１の記録用画像データを生成する。一方、第２のアスペクトモードのとき、画像処理部１４は、バッファメモリ１５に記憶された画像データのうち水平画素数Ｈ２、垂直画素数Ｖ２の画素に対応する画像データを読み出して、第２の記録用画像データを生成する。
【０１１９】
これにより、本実施の形態４の構成では、ＣＣＤ１１から全有効画素領域の画像データを読み出すので、ＴＧ２０を複雑に制御する必要がないため、ＣＣＤ１１からの画像データの読出しを容易に行うことができる。
【０１２０】
（実施の形態５）
〔5-1．構成〕
本発明の実施の形態５におけるデジタルカメラ４００は、アスペクト比についてブラケット撮影ができる。以下、図１３および図１４を参照して、実施の形態５について説明する。
【０１２１】
図１３は、本実施の形態５にかかるデジタルカメラ４００の構成を示すブロック図である。ブラケット設定部２２は、アスペクトブラケットモードを設定するための手段である。画像選択部２４は、アスペクトブラケットモードにおいて生成されたアスペクト比の異なる複数の画像のうち、いずれかを選択するための手段である。その他の構成は、本発明の実施の形態１のデジタルカメラ１００と同様であるため、説明を省略する。
【０１２２】
〔5-2．動作〕
以下、本実施の形態５のデジタルカメラ４００の動作について、図１４を参照して説明する。
【０１２３】
まず、ユーザーは、予めブラケット設定部２２を操作して、アスペクトブラケットモードに設定しておく（Ｓ５１）。そして、ユーザーがシャッタ釦１９を半押し操作した後、全押し操作をすると（Ｓ５２）、デジタルカメラ４００においてアスペクトブラケットモードでの撮像動作が開始される。
【０１２４】
ＣＰＵ１４２は、撮像動作が開始すると、ＣＣＤ１１での露光動作を開始させる。その後、ＣＣＤ駆動回路２１は、ＴＧ２０からのタイミング信号を受けて、ＣＣＤ１１を駆動する。ＣＣＤ１１は、全有効画素領域の画素で生成された画像データを出力する（Ｓ５３）。
【０１２５】
ＣＣＤ１１から読み出された画像データは、ＡＦＥ１２でＣＤＳ処理され、ＡＤＣ１３でデジタル化される。デジタル化された画像データは、前処理部１４１１で前処理される（Ｓ５４）。
【０１２６】
次に、メモリ管理部１４４は、前処理部１４１１で処理された画像データをバッファメモリ１５に記憶させる（Ｓ５５）。したがって、バッファメモリ１５は、有効画素領域の画素で生成され、ＡＦＥ１２、ＡＤＣ１３および前処理部１４１１で所定の処理が施された全画像データを一時的に記憶することになる。
【０１２７】
次に、互いに異なるアスペクト比の画像を順次生成する。まず、メモリ管理部１４４は、ＣＰＵ１４２の制御により、最初のアスペクト比に応じた利用領域Ｅ１の画素で生成された画像データを、バッファメモリ１５に記憶された有効画素領域の全画像データから切り出して、画像処理部１４１に出力する（Ｓ５６）。
【０１２８】
そして、ＹＣ処理部１４１２は、バッファメモリ１５から読み出された利用領域Ｅ１に対応する画像データについて、ＹＣ処理を施す（Ｓ５７）。
【０１２９】
生成されたＹＣデータはバッファメモリ１５に記憶される（Ｓ５８）。
【０１３０】
以上のステップＳ５６からＳ５８までの動作は、残りのアスペクト比の利用領域Ｅ２およびＥ３に対応する画像データに対しても、同様に繰り返される（Ｓ５９）。
【０１３１】
全てのアスペクト比について、以上の動作が終了すると、ＣＰＵ１４２は、各アスペクトのＹＣ画像を、液晶モニタ１６に表示させるよう制御する。そして、画像選択部２４は、ユーザーによる画像選択に関する指示を受け付け、バッファメモリ１５に記憶されたアスペクト比の異なる複数の画像データのうちいずれかを選択する（Ｓ６０）。
【０１３２】
次に、圧縮処理部１４１４は、画像選択部２４で選択された画像データについて、圧縮処理を行って、記録用画像データを生成する（Ｓ６１）。このとき、ズーム処理部１４１３によるズーム処理を行ってもよい。または、画像選択の前にズーム処理を行ってもよい。
【０１３３】
そして、生成された記録用画像データは、メモリーカード１７に書き込まれる（Ｓ６２）。
【０１３４】
なお、上記のアスペクトモードに応じた必要な画像データの切り出し処理は、画像処理工程のどの段階で行ってもよい。例えば、ＹＣ処理の前に行ってもよいし、ＹＣ処理は全有効画素分について行い、ズーム処理時に切り出してもよい。
【０１３５】
また、ＹＣ処理およびズーム処理は全有効画素分について行い、圧縮処理の前に切り出し処理を行ってもよい。
【０１３６】
また、画像処理の全てを全有効画素分について行った上で、メモリーカード１７への書き込み時に切り出し処理を行ってもよい。
【０１３７】
〔5-3．実施の形態５のまとめ〕
以上のように本発明の実施の形態５にかかるデジタルカメラ４００は、ＣＣＤ１１と画像処理部１４１とブラケット設定部２２とシャッタ釦１９とを備える。ブラケット設定部２２は、アスペクトブラケットモードを設定可能である。ブラケット設定部２２によりアスペクトブラケットモードが設定されている場合において、シャッタ釦１９が撮像開始の指示を受け付けたとき、画像処理部１４１は、アスペクトがそれぞれ異なる複数の記録用画像データを生成する。
【０１３８】
これにより、同一の撮像対象に対して、アスペクト比の異なる記録用画像データを複数枚生成できるので、撮像対象に適したアスペクト比の画像を撮像後に選択できる。そのため、失敗の少ない撮像が可能になる。
【０１３９】
また、本発明は、本実施の形態５に示すように、ＣＣＤ１１上の複数の画素で生成された画像データ、またはその画像データに所定の処理が施された画像データを、一時的に記憶するバッファメモリ１５をさらに備えるようにするのが好ましい。この場合、アスペクトブラケットモードが設定されている場合において、シャッタ釦１９が撮像開始の指示を受け付けたとき、画像処理部１４１は、バッファメモリ１５に記憶された画像データのうち複数のアスペクトの画素配列に対応する画像データをそれぞれ読み出して、アスペクトがそれぞれ異なる複数の記録用画像データを生成するようにしてもよい。
【０１４０】
（実施の形態６）
次に、本発明の実施の形態６について説明する。実施の形態６は、実施の形態１〜５の変形例である。
【０１４１】
本発明の実施の形態１〜５では、固体撮像素子はＣＣＤイメージセンサ１１で構成されているが、これには限らず、複数の画素が２次元配列されたイメージセンサであればよい。例えば、ＣＭＯＳイメージセンサ等であってもよい。
【０１４２】
また、本発明の実施の形態１〜５では、ＣＣＤ１１とＣＣＤ駆動回路２１とを別の構成要素として説明したが、これらを１つの半導体装置で構成してもよい。
【０１４３】
また、ＴＧ２０とＣＣＤ駆動回路２１とを、１つの部品で構成してもよい。
【０１４４】
本発明の実施の形態１〜５では、画像処理の前に、ＣＤＳ処理（ノイズキャンセル処理）やＡＤＣ変換処理を行う構成としたが、これには限らない。例えば、ＣＣＤ１１から読み出された画像データを、直接、前処理部１４１１で処理してもよいし、バッファメモリ１５に記憶するようにしてもよい。また、画像処理の前に、その他の処理を行ってもよい。
【０１４５】
本発明の実施の形態１〜５では、画像処理部１４１やＣＰＵ１４２等は、同じＬＳＩ１４上に実現される例を説明したが、これには限らず、各部位がそれぞれ別個に形成されてもよい。また複数のグループに分けて形成してもよい。例えば、画像処理部１４１を１つのＤＳＰ（Digital Signal Processor）で構成し、ＣＰＵ１４２その他の部位を１つのマイコンで構成してもよい。
【０１４６】
本発明の実施の形態１〜５では、画像処理手段は、ＹＣ処理、解像度変換処理、圧縮処理等を施す構成を例示したが、これには限らない。画像処理手段は、ＣＣＤ１１上の画素で生成された画像データを用いて、記録用画像データを生成するものであればよく、ＹＣ処理、解像度変換処理、圧縮処理等を施さないものも本発明の画像処理手段に含まれる。また、ＪＰＥＧ以外の他の圧縮処理を行うものも本発明の画像処理手段に含まれる。つまり、ＹＣ処理、解像度変換処理、圧縮処理等は、画像処理の例示である。したがって、記録用画像データが非圧縮形式の画像データである場合、あるいは動画像である場合等においても、本発明は適用可能である。また、場合によっては、前処理の前のＣＤＳ処理（ノイズキャンセル処理）またはＡＤＣ変換等を、画像処理の一部と考えられる場合もある。
【０１４７】
画像処理部１４は、ハードウェアのみ、あるいはハードウェアとソフトウェアとを組み合わせて構成してもよい。
【０１４８】
本発明の実施の形態１〜５では、バッファメモリ１５等への入出力をメモリ管理部１４４で管理する構成としたが、これに限らず、例えば、ＣＰＵ１４２がこれらの管理を行ってもよい。
【０１４９】
本発明の実施の形態１〜５では、バッファメモリ１５は１つで構成したが、複数のバッファメモリ１５を設ける構成としてもよい。
【０１５０】
本発明の実施の形態１〜５では、表示手段は、液晶モニタ１６を例示したが、これに限らず、有機ＥＬ（electro-luminescence）ディスプレイや無機ＥＬディスプレイ等であってもよい。
【０１５１】
本発明の実施の形態１〜５では、記録用画像データをメモリカード１７に記憶する構成を例示したが、これには限らない。例えば、記録用画像データを、撮像装置内に内蔵されている内蔵メモリに記憶するようにしてもよい。この場合において、内蔵メモリをバッファメモリ１５とは別に設けてもよい。また、バッファメモリ１５を、一時記録用と記録用画像データの記録用の両方に兼用してもよい。
【０１５２】
本発明の実施の形態１〜５では、モード設定手段は、アスペクト切替操作部１８を例示したが、これには限らない。モード設定手段は、ユーザーからの指示によるものではなく、何らかの信号に基づいてアスペクト比を切替える構成であってもよい。例えば、測光の結果に応じてアスペクト比を切替える構成であってもよい。
【０１５３】
本発明の実施の形態１〜５では、受付手段は、シャッタ釦１９を例示したが、これには限らない。例えば、リモートコントロールで撮像開始を指示する構成であってもよい。
【０１５４】
本発明の実施の形態５では、ブラケット設定手段は、ブラケット設定部２２を例示したが、これには限らない。ブラケット設定手段は、ユーザーからの指示によるものではなく、何らかの信号に基づいてアスペクトブラケットモードを設定する構成であってもよい。例えば、測光の結果に応じてアスペクトブラケットモードを設定する構成であってもよい。
【０１５５】
本発明の実施の形態５では、バッファメモリ１５に、ＹＣ処理後の全有効画素領域に対応する画像データを記憶しておき、その後所望のアスペクト比の画像データを得るのに必要な画像データをバッファメモリ１５から切り出して、ズーム処理や圧縮処理等を行う構成とした。しかし、これには限らず、ＹＣ処理前の全有効画素領域に対応する画像データを、バッファメモリ１５に記憶しておくように構成してもよい。この後、所望のアスペクト比の画像データを得るのに必要な画像データをバッファメモリ１５から切り出して、ＹＣ処理をしてもよいし、そのままの画像データを用いて画像選択等を行ってもよい。
【０１５６】
また、圧縮処理後の全有効画素領域に対応する画像データをバッファメモリ１５に記憶しておくように構成してもよい。この場合、全画像データをバッファメモリ１５から読み出して、読み出した画像データを解凍した後、所望のアスペクト比の画像データを得るのに必要な画像データを切り出すように構成してもよい。
【０１５７】
本発明の実施の形態６におけるＣＣＤ１１の各アスペクト比における利用領域間の関係は、図２に示すようなものであって、数式１および数式２を満たすものであってもよいし、そのような関係を満たさない図１５や図１６に示すようなものであってもよい。すなわち、利用領域がどのようなものであっても、本発明のアスペクトブラケットモードに関する発明は適用可能である。但し、各利用領域間の関係が数式１や数式２を満たすものであれば、ブラケット撮影をした際に得られる各画像間の画質をほぼ揃えることができるので、より好ましい。
【産業上の利用可能性】
【０１５８】
本願の開示は、複数のアスペクトモードを備える撮像装置に適用可能である。例えば、デジタルスチルカメラ、動画撮像可能なデジタルカメラ、カメラ機能付き携帯電話端末等に適用可能である。
【符号の説明】
【０１５９】
１１  ＣＣＤイメージセンサ
１５  バッファメモリ
１８  アスペクト切替操作部
１９  シャッタ釦
２０  タイミングジェネレータ
２１  ＣＣＤ駆動回路
２２  ブラケット設定部
２３  画像選択部
１４１  画像処理部
１４２  ＣＰＵ
【図１】
2011205710.tif 000003
【図２Ａ】
2011205710.tif 000004
【図２Ｂ】
2011205710.tif 000005
【図２Ｃ】
2011205710.tif 000006
【図２Ｄ】
2011205710.tif 000007
【図３】
2011205710.tif 000008
【図４Ａ】
2011205710.tif 000009
【図４Ｂ】
2011205710.tif 000010
【図４Ｃ】
2011205710.tif 000011
【図４Ｄ】
2011205710.tif 000012
【図５】
2011205710.tif 000013
【図６】
2011205710.tif 000014
【図７】
2011205710.tif 000015
【図８】
2011205710.tif 000016
【図９】
2011205710.tif 000017
【図１０】
2011205710.tif 000018
【図１１】
2011205710.tif 000019
【図１２】
2011205710.tif 000020
【図１３】
2011205710.tif 000021
【図１４】
2011205710.tif 000022
【図１５】
2011205710.tif 000023
【図１６】
2011205710.tif 000024